(57)【要約】【課題】より興趣性の高い抽選に関する技術を提供する。【解決手段】抽選システムは、抽選装置と、前記抽選装置による抽選に参加するプレイヤごとの抽選結果を表示する１又は複数の表示部とを備える。前記抽選装置は、抽選に参加するプレイヤの人数を特定する特定部と、特定された前記人数に応じて、前記抽選により付与される１又は複数の特典のそれぞれの当選確率を設定する設定部と、前記プレイヤごとに決定されたランダム値と、設定された前記１又は複数の特典のそれぞれの当選確率とに基づいて、前記プレイヤごとに付与する特典を決定する決定部と、を備え、前記表示部は、前記決定部により決定した特典を表示する。【選択図】図９
2020146117.tif 000002
【特許請求の範囲】
【請求項１】
抽選装置と、
前記抽選装置による抽選に参加するプレイヤごとの抽選結果を表示する１又は複数の表示部と、を備え、
前記抽選装置は、
抽選に参加するプレイヤの人数を特定する特定部と、
特定された前記人数に応じて、前記抽選により付与される１又は複数の特典のそれぞれの当選確率を設定する設定部と、
前記プレイヤごとに決定されたランダム値と、設定された前記１又は複数の特典のそれぞれの当選確率とに基づいて、前記プレイヤごとに付与する特典を決定する決定部と、を備え、
前記表示部は、前記決定部により決定した特典を表示する、抽選システム。
【請求項２】
前記設定部は、特定された前記人数が多いほど、価値の高い特典の当選確率を上げる、請求項１に記載の抽選システム。
【請求項３】
前記設定部は、特定された前記人数が多いほど、付与されうる特典の種類を増加させる、請求項１に記載の抽選システム。
【請求項４】
前記特定部は、センサによる検知結果に応じて、前記抽選に参加するプレイヤの人数を特定する、請求項１から３のいずれか一項に記載の抽選システム。
【請求項５】
前記特定部は、前記センサが人による所定のポーズを検知したことに応じて、前記抽選に参加するプレイヤの人数をカウントアップする、請求項４に記載の抽選システム。
【請求項６】
前記１又は複数の表示部ごとに設けられた１又は複数の課金装置を備え、
前記特定部は、所定の入金が行われた前記課金装置に対応する前記表示部の前方に位置する人による所定のポーズを検知したことに応じて、前記抽選に参加するプレイヤの人数をカウントアップする、請求項５に記載の抽選システム。
【請求項７】
前記特定部は、前記センサが人による前記所定のポーズを所定時間以上検知しない場合、前記検知の条件を緩和するように制御する、請求項５又は６に記載の抽選システム。
【請求項８】
特定されたプレイヤの前記人数に応じた前記抽選の進行を示す映像を前記表示部に出力するように制御する制御部を備え、
前記制御部は、特定されたプレイヤの前記人数が多いほど、プレイヤあたりの前記抽選に要する時間をより短縮するように前記制御を実施する、請求項１から７のいずれか一項に記載の抽選システム。
【請求項９】
抽選に参加するプレイヤの人数を特定する特定部と、
特定された前記人数に応じて、前記抽選による１又は複数の特典のそれぞれの当選確率を設定する設定部と、
前記プレイヤごとに決定されたランダム値及び設定された前記１又は複数の特典のそれぞれの当選確率に基づいて、前記プレイヤごとに付与する特典を決定する決定部と
を備える抽選装置。
【請求項１０】
コンピュータを、
抽選に参加するプレイヤの人数を特定する特定部、
特定された前記人数に応じて、前記抽選による１又は複数の特典のそれぞれの当選確率を設定する設定部、
前記プレイヤごとに決定されたランダム値及び設定された前記１又は複数の特典のそれぞれの当選確率に基づいて、前記プレイヤごとに付与する特典を決定する決定部、
として機能させるためのプログラム。
【発明の詳細な説明】
【技術分野】
【０００１】
本発明は、情報処理装置により実施される抽選の技術に関する。
【背景技術】
【０００２】
従来、様々な抽選が知られている。特許文献１には、プレイヤが操作レバーを回転させることにより、景品を格納するカプセルを払い出す抽選装置、所謂、カプセルトイについて開示されている。このカプセルトイにおいて、装置内部に複数のカプセルが無作為に充填され、払い出し部付近のカプセルが、操作レバーの回転に応じて払い出される。
【０００３】
特許文献２には、スマートフォンによりプレイ可能な抽選ゲームについて開示されている。この抽選ゲームでは、例えば、アイテム毎に設定された当選確率等に基づいて抽選が実施され、当選したアイテムがユーザに付与される。
【先行技術文献】
【特許文献】
【０００４】
【特許文献１】特開２００５−２４２５１８号公報
【特許文献２】特開第６２７５９１５号明細書
【発明の概要】
【発明が解決しようとする課題】
【０００５】
従来のカプセルトイや抽選ゲームとは異なる新しい感覚を体感でき、その結果、より高い興趣性を得られる抽選を実現したいという要望がある。
【０００６】
本発明は上記に鑑みてなされたものである。その課題は、より興趣性の高い抽選に関する技術を提供することにある。
【課題を解決するための手段】
【０００７】
本発明の一態様に係る抽選システムは、抽選装置と、前記抽選装置による抽選に参加するプレイヤごとの抽選結果を表示する１又は複数の表示部とを備える。前記抽選装置は、抽選に参加するプレイヤの人数を特定する特定部と、特定された前記人数に応じて、前記抽選により付与される１又は複数の特典のそれぞれの当選確率を設定する設定部と、前記プレイヤごとに決定されたランダム値と、設定された前記１又は複数の特典のそれぞれの当選確率とに基づいて、前記プレイヤごとに付与する特典を決定する決定部と、を備え、前記表示部は、前記決定部により決定した特典を表示する。
【０００８】
本発明の一態様に係る抽選装置は、抽選に参加するプレイヤの人数を特定する特定部と、特定された前記人数に応じて、前記抽選による１又は複数の特典のそれぞれの当選確率を設定する設定部と、前記プレイヤごとに決定されたランダム値及び設定された前記１又は複数の特典のそれぞれの当選確率に基づいて、前記プレイヤごとに付与する特典を決定する決定部とを備える。
【０００９】
本発明の一態様に係るプログラムは、コンピュータを、抽選に参加するプレイヤの人数を特定する特定部、特定された前記人数に応じて、前記抽選による１又は複数の特典のそれぞれの当選確率を設定する設定部、前記プレイヤごとに決定されたランダム値及び設定された前記１又は複数の特典のそれぞれの当選確率に基づいて、前記プレイヤごとに付与する特典を決定する決定部、として機能させる。
【発明の効果】
【００１０】
本発明によれば、より興趣性の高い抽選に関する技術を提供することができる。
【図面の簡単な説明】
【００１１】
【図１】一実施形態における抽選システムによる抽選のプレイを説明するための概念図である。
【図２】一実施形態における抽選システムによる抽選結果の景品の付与を説明するための概念図である。
【図３】一実施形態における抽選システムの構成の一例を示す図である。
【図４】一実施形態におけるサーバ装置のハードウェア構成の一例を示す図である。
【図５】一実施形態における抽選システムが備えるサーバ群の機能構成の一例を示す図である。
【図６】一実施形態において、センサにより検知されるポーズの例を示している。
【図７】一実施形態における抽選の当選確率とプレイ人数との関係の一例を示す図である。
【図８】一実施形態における抽選の結果とプレイ人数との関係の一例を示す図である。
【図９】一実施形態における抽選システムの処理のフローの一例を示す図である。
【発明を実施するための形態】
【００１２】
以下に、本発明の一実施形態における抽選システムについて、図面を参照して詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形し、又は各実施例を組み合わせる等して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１３】
［抽選システムの概要］
まず、図１及び図２を参照して、本実施形態における抽選システムによりプレイ可能な抽選の概要及びプレイの方法について説明する。抽選システムの実装方法については後述する。本実施形態における抽選システムは、ショップやアミューズメント施設などの何らかの施設でプレイヤが抽選を実施（プレイ）可能となる態様で設置される。
【００１４】
図１は、プレイヤが抽選システムにより抽選をプレイしているシーンの例を示している。同図には、表示装置Ｄ１からＤ４の４台の表示装置が示されている。表示装置Ｄ１の近傍には、コインメックＣ１が設置されている。また、表示装置Ｄ１の上部にはパイプＰ１が設置されている。表示装置Ｄ２からＤ４に関しても同様に、それぞれの近傍にはコインメックＣ２からＣ４のそれぞれが設置され、それぞれの上部にはパイプＰ２からＰ４のそれぞれが設置されている。また、表示装置Ｄ１からＤ３のそれぞれの表示面の前方には、抽選をプレイするプレイヤＵ１からＵ３が立っている。抽選は、１名でプレイすることも、複数名が同時にプレイすることも可能である。同図の例では、プレイヤＵ１からＵ３の３名が同時にプレイしている。また、同図の例では、４台の表示装置が設置されており、それぞれの表示装置を使用して、最大で４名が同時に抽選をプレイ可能である。
【００１５】
この抽選システムによる抽選は、友人、家族又は知人などのグループで参加することができる。より多い人数で参加するほど、抽選によってより高い確率で景品が当選し、又はより価値の高い景品が当選しやすくなる。
【００１６】
抽選をプレイするために、例えば、プレイヤＵ１は、表示装置Ｄ１（表示部の一例）に対向する位置に立ち、抽選のプレイに必要な料金を支払うために、現金又はキャッシュレス決済手段によりコインメックＣ１を介して決済を行う。その後、プレイヤＵ１は、表示装置Ｄ１に向かって所定のポーズをとる（例えば、両手を挙げる）と、図示しないセンサによりプレイヤＵ１により所定のポーズがとられたことが検知され、プレイヤＵ１が抽選に参加するプレイヤとしてカウントされる。表示装置Ｄ２及びＤ３の前に立つプレイヤＵ２及びＵ３もプレイヤＵ１と同様の動作を行うことにより、抽選に参加するプレイヤとしてカウントされる。
【００１７】
プレイヤの人数のカウントは任意の方法で行われるが、例えば、参加するプレイヤが最初に検知されてから所定時間経過した時点で特定されている参加者の人数を最終的な参加人数として確定することができる。また、参加者数のカウントが、参加可能な最大人数に達した時点で参加人数を確定することもできる。
【００１８】
プレイヤＵ１からＵ３は、表示装置Ｄ１からＤ３のそれぞれに表示及び出力されるナビゲーションの映像及び音声に従って動作することにより、抽選を実施することができる。詳細には、センサによりユーザの動作が検知され、その検知結果に応じて、抽選システムは、抽選を実施する。例えば、プレイヤＵ１は、表示装置Ｄ１に表示されるナビゲーションに従って、両手を前に出してエネルギーをためる動作をする。その後、プレイヤＵ１は、両手を挙げ、表示装置Ｄ１に向かって球を投げる動作をすることにより、抽選を開始できる。プレイヤＵ１の抽選の結果は、表示装置Ｄ１に表示される。抽選の結果として、例えば、抽選により当たった景品の情報が、又は抽選に外れたことが表示装置Ｄ１に表示される。
【００１９】
抽選結果が表示された後、表示装置Ｄ１には、当選した景品が格納されたカプセルがパイプＰ１を介して送り出されることを示す演出映像が表示される。パイプＰ１には実際にカプセルを送り出してもよいし、パイプＰ１にカプセルが送り出されているように見える演出をパイプＰ１を発光等させることにより行ってもよい。その後、表示装置Ｄ１には、送り出されたカプセルの現在地を示す映像が表示される。
【００２０】
図２は、送り出されたカプセルの現在地を示す映像の例を示している。この例では、パイプＰ１の下部から上部に示されたカウンター（「ＣＯＵＮＴＥＲ」）に向かってカプセルが送り出されていることを示している。また、この例では、プレイヤＵ１が３回連続して抽選を実施したことにより、３つのカプセルが送り出されていることが示されている。
【００２１】
その後、プレイヤＵ１は、コインメックＣ１から出力されるレシートを受け取り、そのレシートと引き換えに、カウンターで景品を受け取ることができる。プレイヤＵ２及びＵ３もプレイヤＵ１と同様に他のプレイヤとは独立して抽選をプレイし、景品を受け取ることができる。
【００２２】
プレイヤＵ２及びＵ３も、プレイヤＵ１がプレイしている抽選と開始のタイミングは同様であるが、独立して、表示装置Ｄ２及びＤ３によるナビゲーション等に従って、抽選をプレイすることができる。
【００２３】
上記の説明は、抽選システムの概要及び抽選のプレイ方法は、一例であり、様々な変更が加えられてもよい。例えば、同時に抽選をプレイ可能なプレイヤの人数の上限は、４人に限定されない。人数の上限は、２人又は３人までであってもよいし、５人以上であってもよい。
【００２４】
［システム構成及びハードウェア構成］
図３は、図１及び２を参照して説明した抽選システムのシステム構成の一例を示している。図３に示すように、抽選システム１は、中央サーバ１０、ロビーサーバ２０、管理装置３１，３２，３３，３４、課金装置４１，４２，４３，４４、プリンタ５１，５２，５３，５４、表示装置Ｄ１，Ｄ２，Ｄ３，Ｄ４、及びセンサＳ１，Ｓ２，Ｓ３，Ｓ４を備える。中央サーバ１０、ロビーサーバ２０、及び管理装置３１，３２，３３，３４は、ネットワークＮを介して通信可能に接続されている。
【００２５】
管理装置３１は、課金装置４１、プリンタ５１、表示装置Ｄ１、及びセンサＳ１と通信可能に接続されている。管理装置３２は、課金装置４２、プリンタ５２、表示装置Ｄ２、及びセンサＳ２と通信可能に接続されている。管理装置３３は、課金装置４３、プリンタ５３、表示装置Ｄ３、及びセンサＳ３と通信可能に接続されている。管理装置３４は、課金装置４４、プリンタ５４、表示装置Ｄ４、及びセンサＳ４と通信可能に接続されている。本実施形態において、同じ管理装置に接続されている、又は近傍に設置されている課金装置、プリンタ、表示装置、及びセンサの間の関係を「対応する」と呼ぶ。例えば、課金装置４３、プリンタ５３、表示装置Ｄ３、及びセンサＳ３の間の関係は、「対応する」関係である。
【００２６】
以下に、図３に示されたそれぞれの構成について説明する。まず、中央サーバ１０は、サーバコンピュータなどの情報処理装置である。中央サーバ１０は、１人又は複数のプレイヤがプレイする抽選の進行を制御する処理を行う。
【００２７】
図４は、中央サーバ１０のハードウェア構成の一例を示している。中央サーバ１０は、主な構成として、制御部１０１、通信部１０４及び記憶部１０５を有する。中央サーバ１０は、図示しないが、一般的なサーバ装置が備える構成をさらに備える。制御部１０１は、ＣＰＵ（Ｃｅｎｔｒａｌ  Ｐｒｏｃｅｓｓｉｎｇ  Ｕｎｉｔ）１０２及びメモリ１０３を主に備えて構成される。制御部１０１では、ＣＰＵ１０２は、記憶部１０５等に記憶されたコンピュータプログラムをメモリ１０３に展開して実行することにより、中央サーバ１０が有する各構成の動作を制御し、各種の機能を実現する。通信部１０４は、ネットワークＮを介して外部の装置と通信するための通信インタフェースである。記憶部１０５は、ハードディスク等の記憶装置によって構成される。記憶部１０５は、制御部１０１における処理の実行に必要な各種コンピュータプログラムや各種のデータ（情報）、及び制御部１０１による処理結果により得られた各種のデータを記憶する。なお、中央サーバ１０は、単一の情報処理装置により構成されるものであっても、ネットワーク上に分散した複数の情報処理装置より構成されるものであってもよい。
【００２８】
図３の説明に戻る。ロビーサーバ２０は、サーバコンピュータなどの情報処理装置である。ロビーサーバ２０は、後述するセンサＳ１，Ｓ２，Ｓ３，Ｓ４による検知結果に応じて、抽選に参加するプレイヤの人数をリアルタイムで特定し管理する。ロビーサーバ２０は、例えば、センサＳ１，Ｓ２，Ｓ３，Ｓ４のいずれかにより参加するプレイヤが最初に検知されたときにタイマーをスタートし、所定の時間が経過した時点までにカウントされたプレイヤの数を参加するプレイヤの数として最終的に確定する。または、ロビーサーバ２０は、センサＳ１，Ｓ２，Ｓ３，Ｓ４により検知されたプレイヤの人数が同時にプレイ可能なプレイヤの人数の上限値（例えば、４人）に達した段階で、プレイヤの人数を当該上限値で確定する。ロビーサーバ２０は、抽選への参加数として確定した人数のデータを中央サーバ１０に送信する。ロビーサーバ２０は、主なハードウェア構成として、中央サーバ１０と同様に制御部、通信部及び記憶部を備える。各構成の詳細は、中央サーバ１０と同様であるため説明を省略する。
【００２９】
管理装置３１は、パーソナルコンピュータなどの情報処理装置である。管理装置３１は、管理装置３１に接続され、対応付けられた課金装置４１、プリンタ５１、表示装置Ｄ１及びセンサＳ１などの装置を管理する。例えば、管理装置３１は、中央サーバ１０から受信した制御信号（例えば、抽選の進行に応じた信号）に応じて、プリンタ５１及び表示装置Ｄ１による処理を制御する。また、管理装置３１は、センサＳ１から受信した信号（例えば、センサＳ１によりオブジェクトを検知したことを示す信号）に応じて、制御信号を表示装置Ｄ１又は中央サーバ１０に送信する。さらに、管理装置３１は、プレイヤによる入金に応じて課金装置４１から受信した信号を中央サーバ１０へ送信する。
【００３０】
管理装置３２，３３，３４も管理装置３１と同様に構成されている。管理装置３２，３３，３４は、それぞれに接続されていることにより対応付けられた課金装置、プリンタ、表示装置、及びセンサと通信を行い、それぞれに対する必要な制御を行う。
【００３１】
課金装置４１は、プレイヤが抽選をプレイするために必要な料金の入金を行うための装置である。課金装置４１は、現金及び何らかのキャッシュレス決済手段による入金を受け付ける。課金装置４１は、入金を受け付け決済が完了すると、その旨を通知する信号を管理装置３１を介して中央サーバ１０に送信する。課金装置４２，４３，４４も課金装置４１と同様に構成されている。課金装置４２，４３，４４は、プレイヤによる入金を受け付け決済が完了すると、対応付けられた管理装置を介してその旨を中央サーバ１０に通知する。
【００３２】
プリンタ５１は、受信した信号に応じた画像を印刷したシートを出力する装置である。本実施形態において、プリンタ５１は、例えば、抽選システム１による抽選の結果に応じて付与される特典を示す情報を印刷したシート（レシート）を出力する。プレイヤは、出力されたレシートを担当者に見せることにより、又はレシートと交換で、特典を受け取ることができる。プリンタ５２，５３，５４もプリンタ５１と同様に構成されている。
【００３３】
また、図３における課金装置４１とプリンタ５１とを組み合わせた構成は、図１のコインメックＣ１に対応する。同様に、課金装置４２とプリンタ５２とを組み合わせた構成は、コインメックＣ２に対応する。課金装置４３とプリンタ５３とを組み合わせた構成は、コインメックＣ３に対応する。課金装置４４とプリンタ５４とを組み合わせた構成は、コインメックＣ４に対応する。
【００３４】
表示装置Ｄ１は、受信した信号に応じて静止画像やビデオ画像などの画像を出力表示する装置である。表示装置Ｄ１の表示部は、例えば、液晶パネルにより構成されている。表示装置Ｄ１は、受信した信号に応じて音声を出力するスピーカを備えてもよい。表示装置Ｄ２，Ｄ３，Ｄ４も表示装置Ｄ１と同様に構成されている。
【００３５】
センサＳ１は、検知対象領域に存在するオブジェクトの動きや、オブジェクトまでの距離などを検知する。センサＳ１は、例えば、ビデオカメラ及び距離画像センサを備える。センサＳ１は、例えば、対応付けられている表示装置Ｄ１の上部に設置され、表示装置Ｄ１の表示部前方向の所定の距離にいる人がとっているポーズを検知することができる。センサＳ２，Ｓ３，Ｓ４もセンサＳ１と同様に構成されている。
【００３６】
図３に例示した抽選システム１は、４台の表示装置を備えるが、表示装置の数はこれに限定しない。抽選システム１は、４台未満又は５台以上の表示装置を備えてもよい。また、抽選システム１は、表示装置の数に応じて、適切な数の管理装置を備え、さらに、各管理装置に接続される課金装置、プリンタ及びセンサを備える。
【００３７】
また、図３に例示した抽選システム１は、抽選に同時に参加可能なプレイヤの人数に一致する数の表示装置を備えるが、これに限定しない。例えば、抽選システム１は、大型の表示装置を備えて、当該大型の表示装置を複数のプレイヤにより共有できるようにしてもよい。例えば、１台の表示装置の表示部を複数の表示エリアに分割し、当該表示部における各分割エリアに、各プレイヤに対する抽選の進行をナビゲートする映像を表示させてもよい。
【００３８】
また、図３に例示した抽選システム１は、中央サーバ１０及びロビーサーバ２０を備えるが、サーバ装置の数はこれに限定されない。これら２つのサーバ装置が有する機能を１つのサーバ装置で実装してもよいし、３つ以上のサーバ装置で実装してもよい。
【００３９】
［機能構成］
図５を参照して、中央サーバ１０及びロビーサーバ２０の機能構成を説明する。説明の便宜上、本実施形態において、中央サーバ１０及びロビーサーバ２０を含む装置群をサーバ群６０と称する。同図を参照して説明する機能構成のそれぞれは、中央サーバ１０及びロビーサーバ２０のうちのいずれかに含まれていてもよいし、双方に一部ずつが含まれていてもよい。また、変形例として、サーバ群６０を１つの装置により構成してもよいし、３つ以上の装置により構成してもよい。
【００４０】
サーバ群６０は、主な機能構成として、データベース１１０、進行制御部１１１、特定部１１２、設定部１１３、及び決定部１１４を備える。これらの機能構成は、例えば、サーバ群６０のＣＰＵが、記憶部等に記憶されたコンピュータプログラムをメモリに展開して実行し、サーバ群６０が有する各構成の動作を制御することで実現される。
【００４１】
データベース１１０は、サーバ群６０において実行される処理に必要なデータ、並びに当該処理により生成又は設定されたデータなど、各種データを記憶する。データベース１１０は、例えば、抽選システム１により実施される抽選の進行に必要な制御データ、抽選の結果に応じて付与される特典のデータ、各特典の当選確率のデータなどを記憶する。
【００４２】
進行制御部１１１は、抽選システム１により実施される抽選の進行を制御し、当該進行に応じた映像（抽選の結果付与される特典の情報を含む）を表示装置Ｄ１，Ｄ２，Ｄ３，Ｄ４に出力表示する。特定部１１２は、センサＳ１，Ｓ２，Ｓ３，Ｓ４による検知結果に応じて、抽選に参加するプレイヤの人数を特定する。設定部１１３は、特定部１１２により特定された人数に応じて、抽選により付与される１又は複数の特典のそれぞれの当選確率を設定する。決定部１１４は、プレイヤごとに決定されたランダム値及び設定された１又は複数の特典のそれぞれの当選確率に基づいて、プレイヤごとに付与する特典を決定する。
【００４３】
以下に、進行制御部１１１、特定部１１２、及び設定部１１３による処理についてさらに詳しく説明する。
【００４４】
進行制御部１１１は、特定部１１２により抽選に参加するプレイヤが特定された後、抽選システム１により実施される抽選の進行を制御する。具体的には、まず、特定部１１２は、抽選のプレイに必要な料金が課金装置４１，４２，４３，４４のいずれかに対して入金されると、入金された課金装置に対応する表示装置の表示部の前方向に位置する人による所定のポーズが検知されるまで待機する。センサＳ１，Ｓ２，Ｓ３，又はＳ４により当該所定のポーズが検知されると、特定部１１２は、当該検知結果に応じて、抽選に参加するプレイヤの人数をカウントアップすることにより人数を特定する。また、特定部１１２は、上記ポーズを検知したセンサに対応する表示装置を使用してプレイヤが抽選に参加すると判断する。
【００４５】
例えば、特定部１１２は、料金が課金装置４１に対して入金され、課金装置４１に対応する表示装置Ｄ１の表示部前方向の所定の距離に位置する人が所定のポーズをとっていることがセンサＳ１により検知されると、表示装置Ｄ１を使用してプレイヤが抽選に参加すると判断する。同様に、他の課金装置に料金が入金され、対応するセンサにより所定のポーズが検知されると、抽選への参加者の人数をカウントアップされる。
【００４６】
人数のカウントアップに関し、特定部１１２は、一人目のプレイヤの参加の判断をした後、タイマーをスタートし、所定時間内に他のセンサにより所定の検知がなされる度に、新たなプレイヤが抽選に参加すると判断する。また、特定部１１２は、検知されたプレイヤの人数が同時にプレイ可能なプレイヤの人数の上限値（例えば、４人）に達した段階で、プレイヤの人数を当該上限値で確定する。
【００４７】
このように本実施形態によれば、センサにより単に人を検知しただけではなく、人が所定のポーズをとっていることを検知したときに、参加するプレイヤの人数をカウントアップする。その結果、センサ付近を通過し、抽選に参加することを望んでいない人や何らかのオブジェクトが参加プレイヤとして誤ってカウントされてしまうことを防ぐことができる。
【００４８】
図６は、センサにより検知される上記の所定のポーズの例を示している。この例において、表示装置Ｄ１の表示部の前方で人が両手を挙げている。表示装置Ｄ１の上部に設置されたセンサＳ１が、表示装置Ｄ１の表示部前方向の所定の距離に存在する人による上記ポーズを検知したとき、特定部１１２は、当該人が抽選に参加するプレイヤと判断し、抽選への参加人数をカウントアップする。
【００４９】
なお、特定部１１２は、センサが人による所定のポーズを所定時間以上検知しない場合、検知の条件を緩和するように制御してもよい。例えば、特定部１１２は、センサＳ１が何らかのオブジェクトを検知しているが、人による所定のポーズを検知していないとする。このとき、特定部１１２は、何らかのオブジェクトを検知してから所定時間以上、人による所定のポーズを検知できない場合、所定のポーズと似たポーズ（すなわち、所定のポーズとの近似の程度が所定の範囲内のオブジェクト）を検知した場合に、所定のポーズを検知したと判断してもよい。
【００５０】
進行制御部１１１は、抽選に参加するプレイヤが確定された後、抽選を開始し、抽選の実施が進行していることを示す演出映像を表示装置Ｄ１，Ｄ２，Ｄ３，Ｄ４のうち、プレイヤが使用している表示装置に表示し、その後、抽選の結果を表示するように制御する。複数のプレイヤが抽選に参加するとき、各プレイヤの抽選は、それぞれ独立して実施される。抽選の結果には、例えば、抽選に当選したか否かの情報、及び当選した場合に付与される特典の情報が含まれる。
【００５１】
決定部１１４は、特定部１１２により特定されたプレイヤの人数に応じて、設定部１１３により設定された当選確率に基づいて任意の方法で抽選を実施する。例えば、決定部１１４は、抽選へ参加するプレイヤの人数に応じて設定部１１３により設定された当選確率に基づいて、ランダム値と、付与される特典又は「はずれ」（特典なし）とを予め対応付けておく。決定部１１４は、抽選時に各プレイヤに対するランダム値を出力し、出力されたそれぞれのランダム値に対応付けられた特典又は「はずれ」を各プレイヤの抽選の結果として決定する。
【００５２】
図７は、抽選へ参加するプレイヤの人数（プレイ人数）に応じて設定部１１３により設定された当選確率の例を示している。この例では、当選のなかでも価値の高い特典（よりレアな特典）である特賞が当選する確率をプレイヤの人数ごとに設定している。設定されたプレイヤの人数ごとの特賞の当選確率のデータは、データベース１１０に記憶される。なお、図７を参照して説明した当選確率の設定方法は一例にすぎず、他の方法により当選確率が設定されてもよい。
【００５３】
設定部１１３は、特定部１１２により特定されたプレイヤの人数が多いほど、価値の高い特典の当選確率がより高くなるように、当選確率を設定してもよい。例えば、図７の例では、設定部１１３は、プレイヤの人数が１人であるときよりも２人の場合の方が、特賞確率が高くなるように、設定を行ってもよい。
【００５４】
以上のように本実施形態によれば、特定部１１２により特定された参加プレイヤの人数に応じて、プレイヤに特典が付与される確率が設定される。そのためプレイヤは、参加人数に応じて抽選に対する異なる体感を得ることができ、その結果、より興趣性の高い抽選をプレイすることができる。本実施形態において、特に、設定部１１３は、特定部１１２により特定されたプレイヤの人数が多いほど、価値の高い特典の当選確率がより高くなるように、当選確率を設定できる。この場合において、参加人数が多いほど、価値の高い特典がプレイヤに付与される確率が上がり、また、より多くの参加者と抽選の結果に対する感情を共有することができる。その結果、プレイヤは、より興趣性の高い抽選をプレイすることができる。
【００５５】
また、設定部１１３は、特定部１１２により特定されたプレイヤの人数が多いほど、抽選の結果付与されうる特典の種類を増加させるように設定を行ってもよい。
【００５６】
図８は、プレイヤの人数が多いほど、抽選の結果付与されうる特典の種類を増加させる設定の例を示している。同図は、例えば、プレイヤの人数が１人のときは、抽選の結果付与されうる特典は、「ドリンク割引クーポン」の１種類であるのに対し、プレイヤの人数が２人のときは、抽選の結果付与されうる特典は、「ドリンク割引クーポン」及び「ドリンクサイズアップ」であることを示している。すなわち、プレイヤの人数が多いほど、抽選の結果付与されうる特典の種類も多い。プレイヤの人数と、抽選の結果付与されうる特典の種類との関係について設定されたデータは、データベース１１０に記憶される。
【００５７】
また、進行制御部１１１は、抽選に参加するプレイヤの人数に応じて、抽選の進行を変更することができる。例えば、進行制御部１１１は、特定部１１２により特定された人数に予め対応付けられた抽選の進行のための映像を表示装置Ｄ１，Ｄ２，Ｄ３，Ｄ４のうちの少なくともいずれかに表示するように制御してもよい。また、進行制御部１１１は、特定されたプレイヤの人数が多いほど、プレイヤあたりの抽選に要する時間をより短縮するように抽選の進行の制御を実施してもよい。例えば、進行制御部１１１は、抽選に参加するプレイヤが２人のときよりも、抽選に参加するプレイヤが３人のときの方が、各プレイヤについて、抽選の開始から抽選の終了までの時間が短縮されるように抽選の進行の制御を実施してもよい。
【００５８】
［処理フロー］
図９を参照して、抽選システム１により実行される抽選のための一連の処理の一例を説明する。なお、各処理ステップの詳細は、既に説明しているため、ここでは説明を省略する。
【００５９】
ステップＳ１１において、課金装置４１，４２，４３，４４のいずれかが、抽選のプレイに必要な料金の入金を受け付けると、ステップＳ１２において、当該入金を受け付けた１つ又は複数の課金装置は、入金を受け付けたことをセンサＳ１，Ｓ２，Ｓ３，Ｓ４のうち、対応するセンサに通知する。例えば、課金装置４１が入金を受け付けた場合、課金装置４１は入金を受け付けたことをセンサＳ１に通知する。なお、課金装置及びセンサ間の通信に管理装置３１，３２，３３，３４のいずれかが仲介するが、説明を簡略化するため、管理装置３１，３２，３３，３４への言及は省略する。以下に説明する他の処理についても管理装置３１，３２，３３，３４への言及は同様の趣旨により省略する。
【００６０】
Ｓ１３において、入金を受け付けた１つ又は複数の課金装置は、対応する表示装置に入金を受けたことを通知する。ステップＳ１４において、表示装置Ｄ１，Ｄ２，Ｄ３，Ｄ４のうち、課金装置から通知を受けた表示装置は、入金後、抽選の開始前の演出のための映像を出力表示する。
【００６１】
ステップＳ１５において、センサＳ１，Ｓ２，Ｓ３，Ｓ４のうちステップＳ１２の通知を受信したセンサは、対応する表示装置の表示部の前方向に位置する人による所定のポーズを検知可能な状態で待機する。当該所定のポーズを検知した場合、ステップＳ１６において、当該所定のポーズを検知したセンサは、当該所定のポーズを検知したことをロビーサーバ２０に通知する。
【００６２】
次に、ステップＳ１７において、ロビーサーバ２０は、センサから通知を受信する度に、新たなプレイヤが抽選に参加すると判断し、抽選の参加プレイヤの数をカウントアップする。ロビーサーバ２０は、一人目のプレイヤの参加についての通知を受信したときに、タイマーをスタートする。ロビーサーバ２０は、タイマーのスタートから所定時間内に他のセンサからの通知を受信する度に、参加するプレイヤの人数をカウントアップする。
【００６３】
ステップＳ１８において、ロビーサーバ２０は、タイマーのスタートから所定時間経過時の人数のカウントを参加人数として確定する。または、ロビーサーバ２０は、プレイヤの人数のカウントが同時にプレイ可能なプレイヤの人数の上限値（例えば、４人）に達した段階で、プレイヤの人数を当該上限値で確定する。
【００６４】
ステップＳ１９において、ロビーサーバ２０は、確定されたプレイヤの人数を中央サーバ１０に通知する。ステップＳ２０において、中央サーバ１０は、通知を受けたプレイヤの人数に応じて、抽選により付与される１又は複数の特典のそれぞれの当選確率を設定する。
【００６５】
ステップＳ２１において、中央サーバ１０は、プレイヤごとに決定されたランダム値と、設定された１又は複数の特典のそれぞれの当選確率とに基づいて、プレイヤごとに抽選を実施する。ステップＳ２２において、中央サーバ１０は、プレイヤごとの抽選が当選したか否かの情報、及び当選した場合に付与する特典の情報を抽選結果の情報として、対応するプレイヤが使用する表示装置に送信する。
【００６６】
ステップＳ２３において、表示装置Ｄ１，Ｄ２，Ｄ３，Ｄ４のうち抽選結果の情報を受信した表示装置は、受信した抽選結果の情報を表示する。抽選結果の情報として、例えば、抽選に当選したことにより付与される景品の情報が、又は抽選に外れたことが表示装置に表示される。
【００６７】
ステップＳ２４において、さらに、中央サーバ１０は、プリンタ５１，５２，５３，５４のうち抽選結果に対応するプリンタに、抽選結果の情報とともに印刷指示を送信する。ステップＳ２５において、印刷指示を受信したプリンタは、受信した抽選結果をシートに印刷して出力する。
【００６８】
プレイヤは、所定の場所（例えば、受付）に行き、抽選に当選したことにより付与される景品の情報が印刷された印刷物（レシート）と引き換えに、景品を受け取ることができる。
【００６９】
以上のように本実施形態によれば、参加プレイヤの人数に応じて、プレイヤに特典が付与される確率が設定される。そのためプレイヤは、参加人数に応じて抽選に対する異なる体感を得ることができ、その結果、より興趣性の高い抽選をプレイすることができる。本実施形態において、特に、抽選に参加するプレイヤの人数が多いほど、価値の高い特典の当選確率がより高くなるように、当選確率を設定できる。この場合において、参加人数が多いほど、価値の高い特典がプレイヤに付与される確率が上がり、また、より多くの参加者と抽選の結果に対する感情を共有することができる。その結果、プレイヤは、より興趣性の高い抽選をプレイすることができる。
【００７０】
［変形例］
本実施形態における抽選システム１（または、中央サーバ１０及びロビーサーバ２０）を実装するためのプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００７１】
また、上記した実施の形態では、抽選に参加可能なプレイヤの人数（Ｎ）に対応した台数の表示装置を設けることとしたが、一台の表示装置にプレイヤごとの表示領域を設けてもよいし、Ｎではない数の表示装置を設けることとしてもよい。また、上記した実施の形態では、センサについても表示装置ごとに設けることとしたが、一又は複数のセンサによりプレイヤを検出するようにしてもよい。
【００７２】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【符号の説明】
【００７３】
１  抽選システム、１０  中央サーバ  １０１  制御部、１０２  ＣＰＵ、１０３  メモリ、１０４  通信部、１０５  記憶部、２０  ロビーサーバ、３１，３２，３３，３４  管理装置、４１，４２，４３，４４  課金装置、５１，５２，５３，５４  プリンタ、Ｄ１，Ｄ２，Ｄ３，Ｄ４  表示装置、Ｓ１，Ｓ２，Ｓ３，Ｓ４  センサ
【図１】
2020146117.tif 000003
【図２】
2020146117.tif 000004
【図３】
2020146117.tif 000005
【図４】
2020146117.tif 000006
【図５】
2020146117.tif 000007
【図６】
2020146117.tif 000008
【図７】
2020146117.tif 000009
【図８】
2020146117.tif 000010
【図９】
2020146117.tif 000011